(57)【要約】【課題】枠組み足場において、複数の足場板を前後方向に連設したとき、隣接する足場板間に隙間が発生しないようにする隙間塞ぎ用の遮蔽板を提供することである。【解決手段】  板体８ａと、板体の下部に板体に沿って長手方向に形成した取付部１７と、板体に短手方向に沿って穿設したフック挿入用の長孔８ｂと、取付部に切欠かれて長孔に対向する長溝１２ａとで構成されている。【選択図】  図１
2008045398.tif 000002
【特許請求の範囲】
【請求項１】
板体と、板体の下部に板体に沿って長手方向に形成した取付部と、板体に短手方向に沿って穿設したフック挿入用の長孔と、取付部に切欠かれて長孔に対向する長溝とで構成されている隙間塞ぎ用の遮蔽板。      
【請求項２】
板体と、板体の下部に止め具を介して結合した取付部と、板体に短手方向に沿って穿設したフック挿入用の長孔とからなり、板体は水平な板部と、この板部の両端に設けた傾斜部とからなり、取付部は両側に弯曲した抱持部を備えたばね板からなっている隙間塞ぎ用の遮蔽板。      
【発明の詳細な説明】
【技術分野】
【０００１】
本発明は、枠組み足場において隣接する複数の足場板間の隙間を塞ぐのに適する隙間塞ぎ用の遮蔽板に関する。
【背景技術】
【０００２】
この種、従来の枠組み足場として、例えば、特許文献１に示す物が開発されている。
【０００３】
この枠組み足場は、図１４に示すように、縦方向に差し込み式に連設した建枠１，１と、建枠１，１間に架設された横架材２と、で枠体３を構成し、この枠体３を多数列設した後に横架材２上にフックを介して足場板４，４を架設し、更に各足場板４，４の両隣りに巾木５，５を配置し、この巾木５，５を上方の手摺を兼ねた建枠１，１に番線等で結合したものである。
【特許文献１】実開平４−１２９２５６号公報（図面参照）
【発明の開示】
【発明が解決しようとする課題】
【０００４】
上記の従来の足場板を利用した枠組み足場には、次のような不具合がある。
【０００５】
足場板４，４は、長手方向にも連続して配設されているが、この場合各足場板４，４は、前後両端部に張出したフックを横架材２に引掛けて行なう為に、前後に隣接する足場板４，４間には二つのフックの巾分の隙間が形成されてしまい、この隙間から足場板上の工具等が下方に落下する危険がある。
【０００６】
そこで、本発明の目的は、枠組み足場において、複数の足場板を前後方向に連設したとき、隣接する足場板間に隙間が発生しないようにする隙間塞ぎ用の遮蔽板を提供することである。
【課題を解決するための手段】
【０００７】
上記の目的を達成するため、本発明の一つの手段は、  板体と、板体の下部に板体に沿って長手方向に形成した取付部と、板体に短手方向に沿って穿設したフック挿入用の長孔と、取付部に切欠かれて長孔に対向する長溝とで構成されている。
【０００８】
同じく、他の手段は、板体と、板体の下部に止め具を介して結合した取付部と、板体に短手方向に沿って穿設したフック挿入用の長孔とからなり、板体は水平な板部と、この板部の両端に設けた傾斜部とからなり、取付部は両側に弯曲した抱持部を備えたばね板からなっている。
【発明の効果】
【０００９】
本発明によれば、次の効果がある。
【００１０】
各請求項の発明によれば、枠組み足場における足場板間に遮蔽板を架設させた時各足場板間の隙間が遮蔽板で塞がれ、安全である。
【００１１】
同じく、遮蔽板は取付部を介して横架材に結合できるから板体が浮き上がったり、移動するのが防止される。
【００１２】
又遮蔽板にはフック挿入用の長孔が設けられているから板体をフック上に配置してもフックの上部がこの長孔内に嵌合し、フックと遮蔽板の板体とが干渉せず、板体の位置決めも行なえる。
【発明を実施するための最良の形態】
【００１３】
以下、本発明の実施の形態を図にもとづいて説明する。
【００１４】
図１乃至図５は本発明に係わる遮蔽板を使用した枠組み足場の一実施例を示す。
【００１５】
枠組み足場として使用される足場装置Ａは、建枠１，１と、建枠１，１間に架設された横架材２と、横架材２に架設された足場板６と、足場板６，６間に設けた遮蔽板８を有している。
【００１６】
二本の建枠１，１と、建枠１，１間に架設された横架材２とで枠体３を構成し、この枠体３を多数列設した後に横架材２上にフック９，９を介して複数の足場板６，６を長手方向に沿って架設している。
【００１７】
足場板６は、水平な板本体１０と、板本体１０の前後両端に設けた複数のフック９と、板本体１０の左右両端に起立して着脱自在に設けた巾木７とからなり、各足場板６，６間には遮蔽板８を架設し、当該遮蔽板８の下部に設けた取付部１２を横架材２に着脱自在に結合させている。
【００１８】
図１、図２に示すように、フック９を横架材２に引掛けると、どうしてもこのフック９の巾分の隙間Ｐが形成される。
【００１９】
そこで、この隙間Ｐの巾より大きい横巾を備えた遮蔽板８を上方からかぶせることにより、足場板６，６間の隙間Ｑをふさぐようにしている。
【００２０】
この遮蔽板８は、図１に示すように、板体８ａと、板体８ａの下部に板体８ａに沿って長手方向に形成した取付部１２と、板体８ａに短手方向に沿って穿設したフック挿入用の長孔８ｂと、取付部１２に切欠かれて長孔８ｂに対向する長溝１２ａとで構成されている。
【００２１】
長孔８ｂと長溝１２ａとは、図３に示すように、フック９，９の弯曲した上部を挿入させるものであり、フックの数に応じて１つ又は複数形成されている。
【００２２】
遮蔽板８の長さは任意であり、足場板６の横巾の大きさ、横方向に並べた時の長さに応じて選択される。
【００２３】
板体８ａの両端上面には下方に向けてテーパ８ｃを形成するのが好ましい。
【００２４】
取付部１２は、横架材２の外面形状に対応し、例えば断面Ｃ形状の嵌合溝１２ｂが形成され、この嵌合溝１２ｂを横架材２に嵌合させる。
【００２５】
遮蔽板８は、図５の他の実施例に示すように、板体８ｄと、板体８ｄの下部にピン等の止め具１３を介して結合した取付部１４と、板体８ｄに短手方向に沿って穿設したフック挿入用の長孔８ｂとで構成してもよい。
【００２６】
板体８ｄは、水平な板部８ｅと、この板部８ｅの両端に設けた傾斜部８ｆ，８ｆとからなり、取付部１４は両側に弯曲した抱持部１４ａ，１４ａを備えたばね板からなっている。
【００２７】
この場合には、遮蔽板８を足場板６，６間に架設した後に抱持部１４ａ，１４ａを横架材２に嵌合し、長孔８ｂ内にフック９の上部を挿入させる。
【００２８】
巾木７は、上方に起立する巾木本体１５と、巾木本体１５の下部に水平に設けた支持板１６とで断面Ｌ状に成形し、巾木本体１５の端部に建枠１に着脱自在に嵌合する取付部材７を設けている。
【００２９】
巾木本体１５は、図４に示すように、一端たる前側の下部に側面Ｌ状の切欠部１５ａが形成され、同じく他端たる後側の上部に側面Ｌ状の切欠部１５ｂが形成されている。
【００３０】
巾木本体１５の両端部外側面にピン等の止め具１７ａを介して取付部材７が結合され、この取付部材７は、例えば、図４の実施例に示すように断面Ｃ形状のばね板１７ｂで構成されている。
【００３１】
巾木本体１５は、ばね板１７ｂを介して建枠１に取付けられ、支持板１６は足場板６を構成する板本体１０の上面に重ねて配置され、これにより足場板６と巾木７との間には隙間が発生しないようにしている。
【００３２】
巾木７は、足場板６に沿って長手方向に連続して取付けた時、前側の巾木本体１５の切欠部１５ｂと後側の巾木本体１５の切欠部１５ａとが互いに嵌合し、隣接する巾木本体１５，１５の間に隙間が発生しないようにしている。
【００３３】
本発明に係る足場装置Ａは、図１乃至図４に示すように、枠体３を多数列設し、各枠体３の横架材３，３間にフック９，９を介して足場板６，６を長手方向に沿って多数直列に配置する。
【００３４】
この場合、各足場板６，６間には隙間Ｐをふさぐ為に上方から遮蔽板８を架設し、その取付部１２の嵌合溝１２ｃを横架材に嵌合させ、又フック９，９の上部を長溝１２ａと長孔８ｂ内に嵌合させる。
【００３５】
次に、各足場板６上に巾木７の支持片１６を重ね、取付部１７たるＬ形状のばね板１５ａを建枠１に嵌合させ、各足場板６の左右両側に巾木７を連続して起立させ、足場板６との間に隙間の発生を防止させる。
【００３６】
前後に隣接する各巾木本体１５は端部の切欠き１５ａ，１５ａを介して嵌合させながら長手方向に連続させ、巾木本体１５，１５間に隙間が発生しないようにしている。
【００３７】
巾木７に設けた取付部材１７は、図６の他の実施例に示すように、止め具１７ａを介して巾木本体１５の端部外側面に結合した公知のクランプ１８で構成されていてもよい。
【００３８】
その他の構成、作用効果は図４の実施例と同じである。
【００３９】
同じく巾木６に設けた取付部材１７は、図７の他の実施例に示すように、巾木本体１５の端部外側面に結合した二又の支持片１９，１９と、各支持片１９，１９に形成した楔挿入用の孔２０，２０と、この孔２０，２０内にスライド自在に挿入した楔２１とで構成してもよい。
【００４０】
この場合、支持片１９，１９間に建枠１を差し込み、次いで楔２１を孔２０，２０内に打ち込むことにより巾木７が建枠１に結合される。
【００４１】
その他の作用、効果は前記の場合と同じである。
【００４２】
図８乃至図１３は、足場板に巾木を直接結合する実施例を示すもので、図８及び図９は、その一実施例を示す。
【００４３】
即ち、足場板６における板本体１０の両端に下方に向けて長手方向に沿うＣ型チャンネル２２を一体に形成し、このＣ型チャンネル２２の上面に長手方向に沿う溝２３を形成している。
【００４４】
巾木７は、上方に起立する巾木本体１５と、巾木本体１５の下部に長手方向に沿って形成し且つ上記Ｃ型チャンネル２２を抱き込むコ字状又はＣ字状の抱持部２４とからなっている。
【００４５】
巾木本体１５の外側面に断面Ｌ状の楔挿入用のガイド２５を結合し、抱持部２４の上壁に上記溝２３に対向する長孔２６を形成し、上記ガイド２５内にはスライド自在に楔２７を挿入すると共にこの楔２７の本体２７ａの下方に上記長孔２６を介して上記溝２３に係合するストッパ２８が設けられている。
【００４６】
この場合、ストッパ２８は、図８に示すような楔２７の本体２７ａの下面に一体に設けた突起２８ａ又は図１１の他の実施例に示すような突起２８ａとこの突起２８ａの外面を被覆したテフロン（登録商標）材２９とで構成されている。
【００４７】
あるいは又、図１２の他の実施例に示すように、ストッパ２８は長孔２６ａ内に上下移動自在に嵌合した断面コ字状の金具２８ｂで構成させてもよい。
【００４８】
上記図８の実施例では、足場板６のＣ型チャンネル２２を巾木７の抱持部２４が抱き込むと巾木本体１５が足場板６の両側に起立する。
【００４９】
次いで、ガイド２５に楔２７を打ち込むとストッパ２８が下降し溝２３に係合し、Ｃ型チャンネル２２と抱持部２４を締付けて両者を結合する。
【００５０】
ストッパ２８にテフロン（登録商標）材２９を使用すると楔２７の滑りが良くなる。
【００５１】
図１２の実施例では楔２７を打ち込むとストッパ２８が孔２６ａを介して下降し溝２３に係合する。
【００５２】
図１３は他の実施例を示すが、これは、板本体１０の両端に下方に向けて長手方向に沿うＣ型チャンネル２２を形成し、このＣ型チャンネル２２の上面に長手方向に沿う溝２３又は窪みを形成し、巾木７は上方に起立する巾木本体１５と、巾木本体１５の下部に長手方向に沿って形成し且つ上記Ｃ型チャンネル２２を抱き込む把持部２４とからなり、抱持部２４の上壁に上記溝２３又は窪みに対向する孔とナット３０とを設け、この孔とナット３０とを介してボルト等のねじ桿３１を上下移動自在に挿入したものである。
【００５３】
この場合は、鍔３２を介してねじ桿３１を回動するとこのねじ桿３１が下降して溝２３又は窪みと係合し、Ｃ型チャンネル２２と抱持部２４を締付けて巾木７を起立する。
【００５４】
上記図８乃至図１３の実施例では足場板６に巾木７が直接結合されるから両者の間に隙間が発生しない。
【図面の簡単な説明】
【００５５】
【図１】本発明の一実施例に係る足場装置の一部切欠き分解斜視図である。
【図２】図１の一部拡大斜視図である。
【図３】遮蔽板を取付けた状態の図１における拡大縦断側面図である。
【図４】図１の巾木の斜視図である。
【図５】他の実施例に係る遮蔽板の斜視図である。
【図６】他の実施例に係る巾木の一部拡大斜視図である。
【図７】他の実施例に係る巾木の一部拡大斜視図である。
【図８】他の実施例に係る足場板と巾木と楔の斜視図である。
【図９】図８の巾木の斜視図である。
【図１０】図８の一部縦断正面図である。
【図１１】他の実施例に係る楔の斜視図である。
【図１２】他の実施例に係る楔の斜視図である。
【図１３】他の実施例に係る足場板と巾木の一部切欠き斜視図である。
【図１４】従来の足場装置の正面図である。
【符号の説明】
【００５６】
１ 建枠
２ 横架材
３ 枠体
６ 足場板
７ 巾木
８ 遮蔽板
８ａ，８ｄ 板体
８ｂ 長孔
８ｆ 傾斜部
９ フック
１０ 板本体
１２，１４ 取付部
１２ａ 長溝
１３ 止め具
１４ａ 抱持部
１５ 巾木本体
１６ 支持板
１７ 取付部材
Ａ 足場装置
【図１】
2008045398.tif 000003
【図２】
2008045398.tif 000004
【図３】
2008045398.tif 000005
【図４】
2008045398.tif 000006
【図５】
2008045398.tif 000007
【図６】
2008045398.tif 000008
【図７】
2008045398.tif 000009
【図８】
2008045398.tif 000010
【図９】
2008045398.tif 000011
【図１０】
2008045398.tif 000012
【図１１】
2008045398.tif 000013
【図１２】
2008045398.tif 000014
【図１３】
2008045398.tif 000015
【図１４】
2008045398.tif 000016